(57)【要約】【課題】従来、穿孔カッター内装の分水覆着継手は、螺合部に筒状穿孔刃を付設したり、その間に段差を設け、直接ゴムパッキンを装着してきたが、分水本管の外表曲面に形成された穿孔部と段差部の歪みに嵌入部の周圧が掛かるとゴムパッキンに逃げを生じ、十分な水密性や圧接力を得られないという問題があった。【解決手段】穿孔カッター螺合部２ａの下部に、螺合部より小径で分水本管に穿設する分水孔より僅かに径の大きいシール部２ｂを設けてその先端に筒状穿孔刃２ｃを付設し、螺合部の下端基部底面に穿設した環状嵌着溝に筒状弾性体２５の上端部を嵌入させてシール部上端基部と周面を包覆するようにした。【選択図】図２
2008045582.tif 000002
【特許請求の範囲】
【請求項１】
分水本管の上面に覆着する覆着体の上部に、内周に雌螺子を刻設した分水路と分水路の側部に開口する分水管接合部を設けた躯体を着合した継手本体の分水路に、外周面に雄螺子を刻設し尾端部に回動ハンドルを接合する接合部を設けた螺合部の下部に、螺合部より小径で分水本管に穿設する分水孔より僅かに径の大きいシール部を設け、シール部の先端部にシール部より僅かに小径の筒状穿孔刃を付設した穿孔カッターを、分水路内周の雌螺子に螺合させて装着したことを特徴とする分水覆着継手
【請求項２】
覆着体の上部に着合する躯体の底部を、穿孔カッターシール部の嵌入脱部を残して閉鎖するように構成した請求項１記載の分水覆着継手
【請求項３】
螺合部の下端基部底面に環状嵌着溝を穿設し、同環状嵌着溝に上端部を嵌入させた筒状弾性体によってシール部上端基部と周面を包覆するようにした請求項１又は請求項２記載の分水覆着継手
【請求項４】
螺合部の下端基部底面を被覆するフランジを設けた筒状弾性体によってシール部上端基部底面と周面を包覆するようにした請求項１又は請求項２記載の分水覆着継手
【請求項５】
シール部を下方に向かって縮径するテーパーに構成した請求項１又は請求項２又は請求項３又は請求項４記載の分水覆着継手
【請求項６】
躯体の頂部外周に環状パッキングを嵌着するテーパー段差部を設け、嵌着した環状パッキングの頂部外周が、躯体頂部に螺合するキャップの内隅角部に圧接するように構成した請求項１又は請求項２又は請求項３又は請求項４又は請求項５記載の分水覆着継手
【発明の詳細な説明】
【技術分野】
【０００１】
本発明は、配水本管から分水する分岐管を配管施工する際に、分水本管の上面に覆着して分水本管に分水孔を穿設すると共に、分水管を接合継手して分岐管を配管する分水覆着継手に関し、分水管配設後も止水栓として利用できる分水覆着継手に関するものである。
【背景技術】
【０００２】
樹脂等による軟質分水本管の上面に覆着して覆着部を分水本管外表面に融着すると共に、内蔵する穿孔カッターにより、分水本管に分水孔を穿設する覆着継手には、従来、穿孔カッターと穿孔部との間を止水するシール機構を設けることなく、例えば特許文献１の図１に示されるように螺合部の下部に直接、筒状穿孔刃を付設していた。そのため、分岐管接合部に分水管を接合し２次側通水経路を構成してから穿孔することが行われてきた。
【０００３】
しかし、常に２次側通水経路を構成してから穿孔するのは、作業手順として不便であり、継手位置が固定されて施工上も問題が多かった。そのため、特許文献２に示されるように螺合部と筒状穿孔刃との間に段差を設け、段差部をテーパーに構成してその全周にゴムパッキンを装着して水洩れを封止することが行われるようになってきた。
【０００４】
更に、穿孔部の水洩れを封止は、特許文献２でも示されるように分岐管を補修したり除去する際、配管の通水を止めることなく補修や除去の作業を行い、分岐管除去後にキャップ等による分岐管設定部の閉塞を不要とし、分水本管の穿孔部に穿孔カッターを螺動下降して穿孔部に嵌入させて封止する目的にも用いられるようになっている。
【０００５】
また、配管の通水を止めることなく配管施工作業を行う際、継手躯体頂部からの水洩れを防止し、キャップ等による分岐管設定部の閉塞を不要とするため、特許文献１、２或いは特許文献３に示されるように螺合部上端内周にパッキンによるシール機構を設けることも行われてきた。
【特許文献１】特開２００４−１９７８３７号公報
【特許文献２】特開２００３−２８７１８３号公報
【特許文献３】特開２００２−３６４７９４号公報
【発明の開示】
【発明が解決しようとする課題】
【０００６】
しかしながら、螺合部と筒状穿孔刃との間に段差を設け、段差部をテーパーに構成してその全周にゴムパッキンを装着する方法では、分水本管の外表曲面に形成された穿孔部とテーパー面となっている段差部の歪みに嵌入部の圧力が掛かるとゴムパッキンに逃げを生じて外れたり、十分に圧接力を得られないという問題があった。
【０００７】
また、分水本管の穿孔部に穿孔カッターを螺動下降して穿孔部に嵌入させて封止する止水操作は、短期間で分岐管を除去せずに或る程度の期間、使用する場合には分水管や端末機器の故障修理、補修、メンテナンスのために繰り返し行う必要があり、上記機構を止水栓として活用する必要も生じている。
【０００８】
その場合、継手躯体頂部をキャップ等により閉塞せずに露出状態のままとして置くことは、単に外見だけの問題ではなく、治具の接合構造部を塵埃に晒すことになり故障の原因を招来することになる。
【０００９】
更に、継手躯体の螺合部上端内周にパッキンを設けるシール機構は、上下に螺動する穿孔カッターの外周にパッキンが螺動のたびごとに摺接し、摩耗する危惧があるほか、躯体頂部に螺合するキャップと継手躯体の螺合部上端とのクリアランスを直接シールする機構が存在しないという問題があった。
【課題を解決するための手段】
【００１０】
本発明は上記した問題に鑑みこれに対応しようとするものであり、躯体分水路内周の雌螺子に螺合する穿孔カッター螺合部の下部に、螺合部より小径で分水本管に穿設する分水孔より僅かに径の大きいシール部を設け、穿孔カッターの螺動下降により穿孔部にシール部が圧入され、分水孔がシールされるようにした。
【００１１】
また、シール部を下方に向かって縮径するテーパーに構成し、穿孔部へのシール部の圧入度を高め、加えて、螺合部の下端基部底面に環状嵌着溝を穿設し、同環状嵌着溝に上端部を嵌入させた筒状弾性体によってシール部上端基部と周面を包覆するようにし、従来、弾性パッキンの下部から上方に向けて圧接された分水孔縁端が筒状弾性体の側腹に圧接されるようにして安定したシール効果が得られるようにした。
【００１２】
継手本体についての他の実施形態として、図１０に示すように覆着体の上部に着合する躯体の底部を、穿孔カッターシール部の入脱孔を残して閉鎖するように構成し、穿孔カッター螺合部の下端基部底面が閉鎖によって構成されるフランジ部上面と接離して通止水を行うことにより、安定して通水、止水の切り換え操作が行えると共に、安定したシール効果も得られるようにした。
【００１３】
更に、躯体の頂部外周に環状パッキングを嵌着するテーパー段差部を設け、嵌着した環状パッキングの頂部外周が、躯体頂部に螺合するキャップの内隅角部に圧接するように構成し、躯体頂部に螺合するキャップと継手躯体の螺合部上端とのクリアランスを直接シールして継手躯体内を密封するようにした。      
【実施例】
【００１４】
以下、図面を参照して本発明の実施例を説明する。１は継手本体で、分水本管Ａの上面に覆着する覆着体１ｂの上部に、内周に雌螺子１２を刻設した分水路１３と分水路の側部に開口する分水管接合部１１を設けた躯体１ａを着合して構成されている。
【００１５】
分水路１３には、外周面に雄螺子２１を刻設し尾端部に回動ハンドルＨを接合する接合部２２を設けた螺合部２ａの下部に、螺合部２ａより小径で分水本管Ａに穿設する分水孔Ｂより僅かに径の大きいシール部２ｂを設け、シール部の先端部にシール部より僅かに小径の筒状穿孔刃２ｃを付設した穿孔カッター２が、分水路内周の雌螺子１２に螺合させて上下に螺動するように装着されている。
【００１６】
穿孔カッター２のシール部２ｂについては、他の実施例として図５に示すように、螺合部２ａの下端基部底面２３に環状嵌着溝２４を穿設し、同環状嵌着溝２４に上端部を嵌入させた筒状弾性体２５によってシール部上端基部と周面を包覆することによって、更に、水密性を高めることができ、また、図６、図７に示すように、シール部２ｂの外周面をテーパーにすることによって穿孔部辺縁との結合度合いが増強される。
【００１７】
更に、筒状弾性体２５についての他の実施形態として、図８に示すように螺合部２ａの下端基部底面２３を被覆するフランジ２６を設けた筒状弾性体によってシール部上端基部底面と周面を包覆するようにし、平面接合による止水についてもシール効果が得られるようにしている。
【００１８】
継手本体についての他の実施形態として、図１０に示すように覆着体１ｂの上部に着合する躯体１ａの底部を、穿孔カッターシール部２ｂの入脱孔を残して閉鎖するように構成し、穿孔カッター螺合部２ａの下端基部底面２３が閉鎖によって構成されるフランジ部１ｃの上面と接離して通止水が行われるようにした。
【００１９】
この実施形態を採れば、分水本管Ａの外表曲面に形成された歪みのある穿孔部Ｂに対するシール部２ｂの入脱による直接的な止水だけでなく、螺合部２ａの下端基部底面２３と躯体底部フランジ部１ｃの上面との平面接合による接離作動により、安定して通水、止水の切り換え操作が行えると共に、安定したシール効果も得ることができる。
【００２０】
継手本体１の躯体１ａは、頂部に回動ハンドルＨを挿入する挿入口１５が開口し、開口部外周に環状パッキングＰ１を嵌着するテーパー段差部１４を設け、嵌着した環状パッキングの頂部外周が、躯体頂部に螺合するキャップ３の内隅角部３１に圧接するように構成されている。
【００２１】
覆着体１ｂの内側面には加熱線１６が敷設され、通電ターミナル１７からの通電により、覆着体１ｂの内側面と分水本管Ａの覆着外周面が融着するようになっており、覆着体を分水本管Ａの上面に覆着圧接して通電することにより、継手本体は分水本管Ａ上に一体的に固定される。
【００２２】
以上のように構成された継手本体１を、覆着体１ｂにより分水本管Ａの上面に覆着圧接し、通電ターミナル１７から通電して分水本管Ａ上に一体的に固定し、挿入口１５から回動ハンドルＨを挿入して穿孔カッター２の接合部２２に接合する。
【００２３】
回動ハンドルＨを回動して分水路１３内の穿孔カッター２を螺動下降させて、分水本管Ａの上面外表部に筒状穿孔刃２ｃを当接し、更に回動して分水孔Ｂを穿孔する。穿孔後は穿孔時と反対方向に回動して螺動上昇させ、図３に示すように躯体１ａの頂部上端まで引揚げ、ハンドルＨを外して躯体頂部をキャップ３で覆着閉塞する。
【００２４】
このとき、筒状穿孔刃２ｃ内には、穿孔された分水孔Ｂの切取り片３２が残置されるが、特に除去する必要はないのでそのまま止水栓の閉鎖栓体として利用する。すなわち、分岐管の補修等のため分水孔Ｂを閉塞して止水する必要を生じた場合には、キャップ３を外し穿孔カッター２にハンドルＨを接合して回動により穿孔カッターを螺動下降させ分水孔Ｂに嵌入閉塞して止水する。
【００２５】
穿孔カッター２には、前記シール部２ｂが設けられているので、上記したそれぞれのシール機構により、分水孔Ｂは完全に密栓される。補修を終わって分水孔Ｂを開栓する場合には、閉栓時と反対方向にカッター２を回動して螺動上昇させ、躯体１ａの頂部上端まで引揚げ、ハンドルＨを外して躯体頂部をキャップ３で覆着閉塞する。
【００２６】
本発明は以上のように構成したので、穿孔カッター２、特に螺合部２ａの下端基部と穿孔部Ｂとの間を完全に止水することができ、分水管配設後も止水栓として利用することを可能としたものである。    
【図面の簡単な説明】
【００２７】
【図１】本発明の実施例を示すもので、分水本管に継手本体を覆着し、穿孔カッターにハンドル体を接合して回動下降して分水本管の覆着面に分水孔を穿設した状態を示し、覆着体と躯体を断面とし、装着された穿孔カッターの左半分を外観図、右半分を断面図として要部を示した分水覆着継手の全体側面図
【図２】同じく、分水本管の分水孔に穿孔カッターのシール部を嵌入した状態を示すもので、覆着体と躯体を断面とし、装着された穿孔カッターの左半分を外観図、右半分を断面図として要部を示した分水覆着継手の全体側面図
【図３】同じく、穿孔カッターを躯体分水路上端まで上昇させ、頂部にキャップを覆着した状態を示すもので、覆着体と躯体を断面とし、装着された穿孔カッターの左半分を外観図、右半分を断面図として要部を示した分水覆着継手の全体側面図
【図４】同じく、左半分を外観図、右半分を断面図として要部を示した穿孔カッターの拡大側面図
【図５】同じく、本発明の他の実施例を示すもので、左半分を外観図、右半分を断面図として要部を示したシール部に弾性筒体を嵌着した穿孔カッターの拡大側面図
【図６】同じく、本発明の他の実施例を示すもので、左半分を外観図、右半分を断面図として要部を示したシール部をテーパーに構成した穿孔カッターの拡大側面図
【図７】同じく、本発明の他の実施例を示すもので、左半分を外観図、右半分を断面図として要部を示したシール部をテーパーに構成し、更に、弾性筒体を嵌着した穿孔カッターの拡大側面図
【図８】同じく、本発明の他の実施例を示すもので、左半分を外観図、右半分を断面図として要部を示した、螺合部の下端基部底面を被覆するフランジを設けた筒状弾性体によってシール部上端基部底面と周面を包覆した穿孔カッターの拡大側面図
【図９】同じく、分水本管の径が大きい場合における実施例を示し、分水本管の分水孔に穿孔カッターのシール部を嵌入した状態を示すもので、覆着体と躯体を断面とし、装着された穿孔カッターの左半分を外観図、右半分を断面図として要部を示した分水覆着継手の全体側面図
【図１０】同じく、本発明の他の実施例として覆着体の上部に着合する躯体の底部を、穿孔カッターシール部の入脱部を残して閉鎖した実施例を示し、分水本管の分水孔に穿孔カッターのシール部を嵌入した状態を示すもので、覆着体と躯体を断面とし、装着された穿孔カッターの左半分を外観図、右半分を断面図として要部を示した分水覆着継手の全体側面図
【符号の説明】
【００２８】
１  継手本体
１ａ  躯体
１ｂ  覆着体
１ｃ  躯体底部の閉鎖フランジ部
１１  継手本体の分水管接合部
１２  継手本体分水路内周の雌螺子
１３  継手本体の分水路
１４  躯体開口部のパッキング嵌着テーパー段差部
１５  躯体の回動ハンドル挿入口
１６  通電加熱線
１７  通電ターミナル
２  穿孔カッター
２ａ  穿孔カッターの螺合部
２ｂ  穿孔カッターのシール部
２ｃ  穿孔カッターの筒状穿孔刃
２１  穿孔カッターの螺合部の雄螺子
２２  穿孔カッターの回動ハンドル接合部
２３  穿孔カッター螺合部の下端基部底面
２４  環状嵌着溝
２５  筒状弾性体
２６  カッター螺合部の下端基部底面を被覆する筒状弾性体のフランジ
３  躯体頂部に螺合するキャップ
３１  キャップの内隅角部
３２  穿孔された分水孔の切取り片
Ａ  分水本管
Ｂ  分水孔
Ｈ  カッター回動ハンドル
Ｐ１  環状パッキング
【図１】
2008045582.tif 000003
【図２】
2008045582.tif 000004
【図３】
2008045582.tif 000005
【図４】
2008045582.tif 000006
【図５】
2008045582.tif 000007
【図６】
2008045582.tif 000008
【図７】
2008045582.tif 000009
【図８】
2008045582.tif 000010
【図９】
2008045582.tif 000011
【図１０】
2008045582.tif 000012